(57)【要約】【課題】ＩＥＣ規格に準拠したソケット部を有し、規格化された埋込ボックスを用いて埋込配設される配線装置を提供する。【解決手段】配線装置は、直流電源用のプラグが着脱自在に接続されるＩＥＣ規格に準拠したコンセント部２０が器体１の前面に設けられたコンセントＡと、コンセントＡの器体１が取着され、造営面に開口する埋込孔内に器体１の後部を収納した状態で造営面に固定されるプレート枠１１０とを備える。コンセント部２０は、プラグの先端部が挿入されるプラグ挿入用穴２１と、プラグ挿入用穴２１の底面から前方に向かって突出する円柱状の突出部２２と、当該突出部２２の前面に開口して、プラグが備える電圧極用のピン端子が差込接続される端子挿入用孔２３ａ，２３ｂと、端子挿入用孔２３ａ，２３ｂを通して器体１内に挿入される電圧極用のピン端子に電気的に接続される刃受部材とを備える。【選択図】図１
2010073351.tif 000002
【特許請求の範囲】
【請求項１】
負荷機器からの電源コードに設けられたプラグが着脱自在に接続されるＩＥＣ規格に準拠したコンセント部が前面に設けられたコンセント本体と、
コンセント本体が取着され、埋込配線用に規格化されて造営面に埋設される埋込ボックスにコンセント本体の後部を収納した状態で前記埋込ボックスに固定される枠部材とを備え、
前記コンセント部は、前記プラグの先端部が挿入されるプラグ挿入用穴と、プラグ挿入用穴の底面から前方に向かって突出する円柱状の突出部と、当該突出部の前面に開口して、前記プラグが備える電圧極用のピン端子が差込接続される端子挿入用孔と、端子挿入用孔を通してコンセント本体内に挿入される電圧極用のピン端子に電気的に接続される刃受部材とを備え、
前記枠部材が、日本工業規格で規格化された大角形連用配線器具の取付枠に比べて、器具取付用の開口窓の寸法が幅広に形成された取付枠からなり、前記コンセント本体が、日本工業規格で規格化された大角形連用配線器具に比べて前面が幅広に形成されたことを特徴とする配線装置。
【請求項２】
負荷機器からの電源コードに設けられたプラグが着脱自在に接続されるＩＥＣ規格に準拠したコンセント部が前面に設けられたコンセント本体と、
コンセント本体が取着され、埋込配線用に規格化されて造営面に埋設される埋込ボックスにコンセント本体の後部を収納した状態で前記埋込ボックスに固定される枠部材とを備え、
前記コンセント部は、前記プラグの先端部が挿入されるプラグ挿入用穴と、プラグ挿入用穴の底面から前方に向かって突出する円柱状の突出部と、当該突出部の前面に開口して、前記プラグが備える電圧極用のピン端子が差込接続される端子挿入用孔と、端子挿入用孔を通してコンセント本体内に挿入される電圧極用のピン端子に電気的に接続される刃受部材とを備え、
前記コンセント本体が、ＮＥＭＡ規格に準拠した形状、大きさに形成されたことを特徴とする配線装置。
【請求項３】
負荷機器からの電源コードに設けられたプラグが着脱自在に接続されるＩＥＣ規格に準拠したコンセント部が前面に設けられたコンセント本体と、
コンセント本体が取着され、埋込配線用に規格化されて造営面に埋設される埋込ボックスにコンセント本体の後部を収納した状態で前記埋込ボックスに固定される枠部材とを備え、
前記コンセント部は、前記プラグの先端部が挿入されるプラグ挿入用穴と、プラグ挿入用穴の底面から前方に向かって突出する円柱状の突出部と、当該突出部の前面に開口して、前記プラグが備える電圧極用のピン端子が差込接続される端子挿入用孔と、端子挿入用孔を通してコンセント本体内に挿入される電圧極用のピン端子に電気的に接続される刃受部材とを備え、
前記枠部材はＡボックス、ＢＳボックス又はＣボックスの何れかよりなる埋込ボックスに取着可能な形状、大きさに形成されたことを特徴とする配線装置。
【請求項４】
前記枠部材が、前記コンセント本体と一体に設けられたことを特徴とする請求項１乃至３の何れか１つに記載の配線装置。
【請求項５】
前記コンセント本体には、プラグが備える信号伝送用のピン端子が挿抜自在に接続される信号端子接続部が、前記突出部と異なる部位に設けられたことを特徴とする請求項１乃至４の何れか１つに記載の配線装置。
【請求項６】
前記コンセント本体には、プラグが備える接地極用のピン端子が挿抜自在に接続される接地端子接続部が、前記突出部と異なる部位に設けられたことを特徴とする請求項１乃至４の何れか１つに記載の配線装置。
【請求項７】
前記コンセント本体には、プラグが備える信号伝送用のピン端子が挿抜自在に接続される信号端子接続部と、プラグが備える接地極用のピン端子が挿抜自在に接続される接地端子接続部とが、前記突出部と異なる部位にそれぞれ設けられたことを特徴とする請求項１乃至４の何れか１つに記載の配線装置。
【発明の詳細な説明】
【技術分野】
【０００１】
本発明は、配線装置に関するものである。
【背景技術】
【０００２】
従来、ラジオや電話機などの機器は直流電源を駆動電源としており、このような直流機器に直流電源を供給するための直流コンセントが公知であった（例えば特許文献１参照）。
【特許文献１】特開平７−１５８３５号公報（段落［００２１］−［００２３］、及び、第１図）
【発明の開示】
【発明が解決しようとする課題】
【０００３】
上記特許文献１の直流コンセントでは、直流電源のコンセント口が、ＡＣアダプタの備えるピンタイプのプラグに対応したコンセント口となっており、メーカ毎或いは国毎にプラグの形状が異なるため、汎用性が乏しいものであった。
【０００４】
ところで、直流や交流の低電圧回路に使用されるコネクタとして、ＳＥＬＶ（Safty Extra Low Voltage：安全特別低電圧）回路で使用されるプラグ及びソケットがＩＥＣ規格（ＣＥＩ／ＩＥＣ  ９０６−３）において規格化されているが、この規格に準拠したソケット部を有し、各国で規格化されている埋込ボックスを用いて埋込配設される配線器具は従来存在しなかった。
【０００５】
本発明は上記問題点に鑑みて為されたものであり、その目的とするところは、ＩＥＣ規格に準拠したソケット部を有し、規格化された埋込ボックスを用いて埋込配設される配線装置を提供することにある。
【課題を解決するための手段】
【０００６】
上記目的を達成するために、請求項１の発明は、負荷機器からの電源コードに設けられたプラグが着脱自在に接続されるＩＥＣ規格に準拠したコンセント部が前面に設けられたコンセント本体と、コンセント本体が取着され、埋込配線用に規格化されて造営面に埋設される埋込ボックスにコンセント本体の後部を収納した状態で埋込ボックスに固定される枠部材とを備え、コンセント部は、プラグの先端部が挿入されるプラグ挿入用穴と、プラグ挿入用穴の底面から前方に向かって突出する円柱状の突出部と、当該突出部の前面に開口して、プラグが備える電圧極用のピン端子が差込接続される端子挿入用孔と、端子挿入用孔を通してコンセント本体内に挿入される電圧極用のピン端子に電気的に接続される刃受部材とを備え、枠部材が、日本工業規格で規格化された大角形連用配線器具の取付枠に比べて、器具取付用の開口窓の寸法が幅広に形成された取付枠からなり、コンセント本体が、日本工業規格で規格化された大角形連用配線器具に比べて前面が幅広に形成されたことを特徴とする。
【０００７】
請求項２の発明は、負荷機器からの電源コードに設けられたプラグが着脱自在に接続されるＩＥＣ規格に準拠したコンセント部が前面に設けられたコンセント本体と、コンセント本体が取着され、埋込配線用に規格化されて造営面に埋設される埋込ボックスにコンセント本体の後部を収納した状態で埋込ボックスに固定される枠部材とを備え、コンセント部は、プラグの先端部が挿入されるプラグ挿入用穴と、プラグ挿入用穴の底面から前方に向かって突出する円柱状の突出部と、当該突出部の前面に開口して、プラグが備える電圧極用のピン端子が差込接続される端子挿入用孔と、端子挿入用孔を通してコンセント本体内に挿入される電圧極用のピン端子に電気的に接続される刃受部材とを備え、コンセント本体が、ＮＥＭＡ規格に準拠した形状、大きさに形成されたことを特徴とする。
【０００８】
請求項３の発明は、負荷機器からの電源コードに設けられたプラグが着脱自在に接続されるＩＥＣ規格に準拠したコンセント部が前面に設けられたコンセント本体と、コンセント本体が取着され、埋込配線用に規格化されて造営面に埋設される埋込ボックスにコンセント本体の後部を収納した状態で埋込ボックスに固定される枠部材とを備え、コンセント部は、プラグの先端部が挿入されるプラグ挿入用穴と、プラグ挿入用穴の底面から前方に向かって突出する円柱状の突出部と、当該突出部の前面に開口して、プラグが備える電圧極用のピン端子が差込接続される端子挿入用孔と、端子挿入用孔を通してコンセント本体内に挿入される電圧極用のピン端子に電気的に接続される刃受部材とを備え、枠部材はＡボックス、ＢＳボックス又はＣボックスの何れかよりなる埋込ボックスに取着可能な形状、大きさに形成されたことを特徴とする。尚、Ａボックスとはアメリカタイプの埋込ボックスであり、ＮＥＭＡ規格に準拠した埋込ボックスである。またＢＳボックスとは、英国規格協会によって規定されたＢＳ規格に準拠した埋込ボックスである。またＣボックスとはドイツ連邦共和国及びフランス共和国等の欧州大陸国の規格に準拠した埋込ボックスである。
【０００９】
請求項４の発明は、請求項１乃至３の何れかの発明において、枠部材が、コンセント本体と一体に設けられたことを特徴とする。
【００１０】
請求項５の発明は、請求項１乃至４の何れかの発明において、コンセント本体には、プラグが備える信号伝送用のピン端子が挿抜自在に接続される信号端子接続部が、突出部と異なる部位に設けられたことを特徴とする。
【００１１】
請求項６の発明は、請求項１乃至４の何れかの発明において、コンセント本体には、プラグが備える接地極用のピン端子が挿抜自在に接続される接地端子接続部が、突出部と異なる部位に設けられたことを特徴とする。
【００１２】
請求項７の発明は、請求項１乃至４の何れかの発明において、コンセント本体には、プラグが備える信号伝送用のピン端子が挿抜自在に接続される信号端子接続部と、プラグが備える接地極用のピン端子が挿抜自在に接続される接地端子接続部とが、突出部と異なる部位にそれぞれ設けられたことを特徴とする。
【発明の効果】
【００１３】
請求項１の発明によれば、ＩＥＣ規格に準拠したコンセント部を備えるコンセント本体が、日本工業規格で規格化された大角形連用配線器具の枠部材に比べて、器具取付用の開口窓の寸法が幅広に形成された枠部材を用いて、埋込配線用に規格化された埋込ボックスに取着されるから、規格化された既存の埋込ボックスを用いてコンセント本体を埋込配線することができる。
【００１４】
請求項２の発明によれば、コンセント本体がＮＥＭＡ規格に準拠した形状を有しているので、ＩＥＣ規格に準拠したコンセント部を備えるコンセント本体が、ＮＥＭＡ規格に準拠した配線器具と同様の枠部材を用いて、埋込配線用に規格化された埋込ボックスに取着されるから、ＮＥＭＡ規格に準拠した埋込ボックスを用いてコンセント本体を埋込配線することができる。
【００１５】
請求項３の発明によれば、ＩＥＣ規格に準拠したコンセント部を備えるコンセント本体が、枠部材を用いてＡボックス、ＢＳボックス又はＣボックスの何れかよりなる埋込ボックスに取着されるから、規格化された既存の埋込ボックスを用いてコンセント本体を埋込配線することができる。
【００１６】
請求項４の発明によれば、枠部材がコンセント本体と一体に設けられているので、コンセント本体とは別体に形成された枠部材を使用しなくても埋込ボックスに配設することができ、部品数を減らすことができる。
【００１７】
請求項５の発明によれば、負荷機器からのプラグをコンセント部に接続することによって、電源供給だけでなく信号伝送も行うことができる。
【００１８】
請求項６の発明によれば、負荷機器からのプラグをコンセント部に接続することによって、コンセント部にプラグが接続された負荷機器を接地することができる。
【００１９】
請求項７の発明によれば、負荷機器からのプラグをコンセント部に接続することによって、電源供給だけでなく信号伝送も行うことができ、またコンセント部にプラグが接続された負荷機器を接地することもできる。
【発明を実施するための最良の形態】
【００２０】
以下に本発明の実施の形態を図面に基づいて説明する。
【００２１】
（実施形態１）
本発明に係る配線装置の実施形態１を図１〜図１４に基づいて説明する。この配線装置は、負荷機器からの電源コードに設けられたプラグ２００が着脱自在に接続されるＩＥＣ規格に準拠したコンセント部２０が器体１（コンセント本体）の前面に設けられたコンセントＡと、コンセントＡの器体１が取着され、造営面に開口する埋込孔に前面側の開口を連通させた状態で造営面に埋設される埋込ボックスに器体１の後部を収納した状態で、埋込ボックスの開口部に取着される取付枠１１０（枠部材）とを備える。
【００２２】
コンセントＡの器体１は、図２及び図３に示すように耐トラッキング性に優れた熱硬化性合成樹脂（たとえば、ユリア樹脂）を用いて前面が開放された直方体状に形成されたボディ２と、弾性を有しかつ耐トラッキング性に優れた合成樹脂（たとえば、ポリブチレンテレフタレート＝ＰＢＴ）を用いて後面が開放された直方体状に形成されたカバー３とを結合することにより形成される。ここにおいて器体１は後述する規定の単位寸法を有している。
【００２３】
ボディ２の左右両端面には各一対の組立爪４が突設されている。一方、カバー３の左右両端部にはそれぞれ肩部５が突設され、各肩部５の後縁からボディ２に向かってそれぞれ組立片６が突設される。各組立片６にはボディ２の組立爪４と凹凸係合する各一対の係合孔６ａが形成される。而して、ボディ２とカバー３とを組み付けるときには、カバー３を前側からボディ２に近付け、組立片６に設けた係合孔６ａに組立爪４を嵌合させることによって、ボディ２とカバー３とが結合されるようになっている。
【００２４】
ボディ２の内部は、長手方向の中間部に設けた仕切壁７によって内部空間が２分されている。仕切壁７の前端部はボディ２の開口面よりも前方に突出している。またボディ２の周壁の適所には前方に突出する位置決め突部２ａが突設されている。仕切壁７および位置決め突部２ａは、ボディ２とカバー３とが結合されたときにカバー３に形成した凹所（図示せず）に係合してボディ２に対するカバー３のがたつきを防止する。また、カバー３内にも仕切壁（図示せず）が形成され、ボディ２とカバー３とを結合するとボディ２の仕切壁７とカバー３の仕切壁とが突き合わされることによって器体１の内部空間が独立した２室に分割される。
【００２５】
ボディ２の内部において仕切壁７で仕切られた左右の各収納室８には、それぞれ刃受部材９が収納される。各刃受部材９は、互いに対向する一対のばね片９ａと、両ばね片９ａの間を連続一体に結合するコ字状の連結片９ｂとを備える。また連結片９ｂの開放端には互いに離れる向きに突出する形で端子片９ｃが連結片９ｂと連続一体に形成されている。尚、一対のばね片９ａは、両者の間隔が上側ほど幅狭となるように傾斜するとともに、さらにその上端間はプラグ２００側のピン端子２０４ａ，２０４ｂが挿入しやすいよう上方ほど間隔が広がるように傾斜している。また各収納室８には、刃受部材９が備える一対の端子片９ｃに対向させて一対の鎖錠ばね１０が配置されている。鎖錠ばね１０は帯板の一端部をＳ字状に曲成して接触片１０ａを形成するとともに、他端部をＪ字状に曲成して鎖錠片１０ｂを形成したものであって、接触片１０ａおよび鎖錠片１０ｂを端子片９ｃに対向させる形でボディ２に収納される。
【００２６】
ボディ２の後壁には鎖錠ばね１０と端子片９ｃとの間に電線を導入することができるように電線挿入口２ｂが形成されている。この電線挿入口２ｂを通して鎖錠ばね１０と端子片９ｃとの間に、鎖錠片１０ｂ側から電線を挿入すると、接触片１０ａおよび鎖錠片１０ｂのばね力によって電線が端子片９ｃとの間に挟持され、かつ鎖錠片１０ｂが電線に食い込むことによって電線を引き抜くことができなくなる。このように、電線挿入口２ｂに電線を挿入するだけで結線することができるから、ねじ付きの端子などを用いる場合に比較して結線作業が容易になる。また、各収納室８に配置した刃受部材９にはそれぞれ２本の電線を接続することができるから、一方の電線を電源側とし、他方の電線を他のコンセントに接続する送り配線として用いれば、複数のコンセントを並列的に接続するような結線作業が容易になる。
【００２７】
また更に、各収納室８には、各刃受部材９に設けた一対の端子板９ｃにそれぞれ対向する一対の鎖錠ばね１０に跨がるように解除釦１１が配設される。解除釦１１は両鎖錠ばね１０の鎖錠片１０ｂに当接し、ボディ２の後壁に沿ってスライド可能となるように配置されている。解除釦１１が鎖錠片１０ｂに当接する部位は、鎖錠片１０ｂが端子片９ｃとの間に電線を挟持する部位からずれている。また、解除釦１１に対応する部位でボディ２の後壁には操作孔２ｃが形成され、操作孔２ｃにマイナスドライバの先端部などを挿入して解除釦１１を押すことにより、電線に食い込んでいる鎖錠片１０ｂを電線から離すように撓ませて電線の引抜きが可能となるようにしてある。ここで、電線としては絶縁被覆を有する単線を用いるのが一般的であって、電線の引抜きに抗する所要の接続強度を得るには絶縁被覆を剥く長さが重要であるから、器体１の後面には芯線を露出させる長さを示した溝状のゲージ２ｄが設けられている。施工時にはゲージ２ｄの長さ分の芯線を露出させるように絶縁被覆を剥くのである。
【００２８】
一方、カバー３の前壁には上述のコンセント部２０が１口分形成されている。コンセント部２０（ソケット）、および、コンセント部２０に挿抜自在に接続されるプラグ２００の形状、寸法並びに極配置はＩＥＣ規格（ＣＥＩ／ＩＥＣ  ９０６−３）に準拠しており、ＩＥＣ規格では８種類（交流及び直流の６Ｖ，１２Ｖ，２４Ｖ，４８Ｖ）のＳＥＬＶ電源に用いられるコネクタの形状、寸法並びに極配置などが規定されている。
【００２９】
プラグ２００は、図５及び図６に示すように、負荷機器からの電線２１０の端部に接続されている。プラグ２００は略円柱状の把持部２０１（プラグ本体）を備え、把持部２０１の先端側には後側よりも細径となる円筒状の嵌合部２０２が形成されている。嵌合部２０２の前面には、丸穴状に凹んだ嵌合穴２０３が開口しており、嵌合穴２０３の内周面には基準位置を示す基準リブ２０５がプラグ挿抜方向（図５（ｂ）において紙面と垂直な方向）に沿って突設されている。そして、把持部２０１の中心位置を通り、当該中心位置と基準リブ２０５とを結ぶ線分に対して直交する直線上には、中心位置に対して対称な位置に、把持部２０１の軸方向に沿って延びる丸棒状の２本のピン端子２０４ａ，２０４ｂが配置されている。
【００３０】
ここで、直流電源用のプラグ２００では、図６（ａ）に示すように基準リブ２０５を上側に見た時に右側に位置するピン端子２０４ａが正極側、左側に位置するピン端子２０４ｂが負極側のピン端子となっている。また嵌合穴２０３の内周面には、電源の種類（直流又は交流の別、及び定格電圧）に応じた位置に、プラグ挿抜方向に沿って延びる誤接続防止用の識別リブ２０６が突設されている。図６（ａ）はＤＣ電源用のプラグ２００に設けられた識別リブ２０６の位置を示し、電源電圧がＤＣ６Ｖ，１２Ｖ，２４Ｖ，４８Ｖの場合、それぞれ、基準リブ２０５の位置を基準（０°）として左回りに１２０°，１５０°，２１０°，２４０°の位置に識別リブ２０６が１箇所ずつ形成されている。また図６（ｂ）はＡＣ電源用のプラグ２００に設けられた識別リブ２０６の位置を示し、電源電圧がＡＣ６Ｖ，１２Ｖ，２４Ｖ，４８Ｖの場合、それぞれ、基準リブ２０５の位置を基準として左回りに３０°，６０°，３００°，３３０°の位置に識別リブ２０６が１箇所ずつ形成されている。ここにおいて、図５に示すプラグはＤＣ４８Ｖ用であり、基準リブ２０５に対して左回りに２４０°の位置に識別リブ２０６が形成されている。
【００３１】
一方、コンセント部２０には、図３（ｂ）及び図４に示すように、プラグ２００の嵌合部２０２の前面と形状及び大きさが同じであって嵌合部２０２が挿抜自在に接続されるプラグ挿入用穴２１が開口する。プラグ挿入用穴２１の底面からは、プラグ２００の嵌合穴２０３内に挿入される円柱状の突出部２２が前方に向かって突出形成されている。突出部２２の前面には、ピン端子２０４ａ，２０４ｂがそれぞれ挿入される端子挿入用孔２３ａ，２３ｂが開口する。突出部２２の内側には、端子挿入用孔２３ａ，２３ｂに臨んで上述の刃受部材９，９が収納されており、端子挿入用孔２３ａ，２３ｂを通して挿入されるピン端子２０４ａ，２０４ｂに刃受部材９，９が電気的に接続するようになっている。
【００３２】
また突出部２２の側周面には、基準位置を示す嵌合溝２４がプラグ挿抜方向に沿って形成され、突出部２２の中心位置を通り、当該中心位置と嵌合溝２４とを結ぶ線分に対して直交する直線上には、中心位置に対して対称な位置に上記の端子挿入用孔２３ａ，２３ｂが開口している。ここにおいて、ＤＣ電源用のコンセント部２０では、図４（ａ）に示すように嵌合溝２４を上側に見た時に左側に位置する端子挿入用孔２３ａが正極側のピン端子に対応し、右側に位置する端子挿入用孔２３ｂが負極側のピン端子に対応している。
【００３３】
また突出部２２の側周面には、電源の種類（直流又は交流の別、及び定格電圧）に応じた位置に、対応するプラグ２００の識別リブ２０６が嵌合する誤接続防止用の嵌合溝２５（誤接続防止溝）が形成されている。ここで、図４（ａ）はＤＣ電源用のコンセント部２０に設けられた嵌合溝２５の位置を示し、電源電圧がＤＣ６Ｖ，１２Ｖ，２４Ｖ，４８Ｖの場合、それぞれ、嵌合溝２４の位置を基準（０°）として右回りに１２０°，１５０°，２１０°，２４０°の位置に嵌合溝２５が１箇所ずつ形成されている。また、図４（ｂ）はＡＣ電源用のコンセント部２０に設けられた嵌合溝２５の位置を示し、電源電圧がＡＣ６Ｖ，１２Ｖ，２４Ｖ，４８Ｖの場合、それぞれ、嵌合溝２４の位置を基準（０°）として右回りに３０°，６０°，３００°，３３０°の位置に嵌合溝２５が１箇所ずつ形成されている。ここにおいて、図１〜図３に示すコンセント部２０はＤＣ４８Ｖ用であり、嵌合溝２４の位置を基準として右回りに２４０°の位置に嵌合溝２５が形成されている。このように、コンセント部２０では、突出部２２の側周面において給電電圧に応じた位置に、プラグ２００に設けた識別リブ２０６が係入する嵌合溝２５が形成されているので、識別リブ２０６及び嵌合溝２５の位置によって、供給電圧の異なるプラグ２００がコンセント部２０に差込接続されるのを防止することができ、負荷機器６０に適合した電源を供給することができる。
【００３４】
而して、コンセント部２０に適合したプラグ２００の嵌合部２０２がプラグ挿入用穴２１に挿入されると、嵌合部２０２の嵌合穴２０３に突出部２２が挿入されるとともに、嵌合部２０２の内周面に設けた基準リブ２０５及び識別リブ２０６がそれぞれ突出部２２の嵌合溝２４，２５に係入される。このとき、突出部２２の端子挿入用孔２３ａ，２３ｂを通して、突出部２２内に挿入されたピン端子２０４ａ，２０４ｂは、それぞれ、刃受部材９，９に電気的に接続され、ピン端子２０４ａ，２０４ｂに刃受部材９，９が弾接する弾接力などによって、プラグ２００がコンセント部２０に接続された状態で保持される。なおコンセント部２０では、突出部２２の前面が器体１の前面よりも後退した位置にあるので、コンセント部２０に接続されたプラグ２００の器体１前面からの突出量を小さくできる。
【００３５】
コンセントＡの器体１は、後述するプレート１００に取り付けられるものであって、カバー３の両側面に設けた肩部５にはプレート１００に結合するために各一対の取付爪３ａが突設されている。尚、取付爪３ａの前端部は、前方ほど肩部５からの突出量が小さくなるように傾斜している。
【００３６】
このコンセントＡを造営面に埋込配設するには、図７〜図９に示すプレート１００を用いる。プレート１００は、器体１を保持するプレート枠１１０と、プレート枠１１０を覆って見栄えよく施工する化粧プレート１２０とからなる。プレート枠１１０には、合成樹脂製のものと金属製のものとがある。合成樹脂製のプレート枠１１０は絶縁性を有し、一対の枠片１１３ａ，１１３ｂの左端部同士（図９（ａ）の上端部同士）および右端部同士（図９（ａ）の下端部同士）をそれぞれ横片１１２で連続一体に結合することによって、器体１の前面を露出させる長方形状の開口窓１１１を中央部に備えた縦長の矩形枠状に形成されている。開口窓１１１の長手方向に沿った両側縁の後面側にはそれぞれ帯板状の固定梁部１１４と可動梁部１１５とが互いに対向する形で設けてある。
【００３７】
可動梁部１１５は、長手方向の両端部で可動梁部１１５の長手方向に延長された連結部１１６を介して枠片１１３ｂに連続一体に連結され、中間部の２箇所が可動梁部１１５に直交する方向のブリッジ部１１７を介して枠片１１３ｂに連続一体に連結されている。また、各連結部１１６と各ブリッジ部１１７との間および両ブリッジ部１１７の間の部位は表裏に貫通するスリット１１８ａ〜１１８ｃとなっている。プレート枠１１０を形成する合成樹脂は可撓性を有し、可動梁部１１５および連結部１１６が可撓になっている。両側のスリット１１８ａ，１１８ｃはＬ字形に形成され、中間部のスリット１１８ｂは一直線上に形成されている。枠片１１３ｂにおいて各ブリッジ部１１７の近傍には、ブリッジ部１１７に対応する部位でも可動梁部１１５が可撓となるように、表裏に貫通する長孔状の溝１１９がそれぞれ設けられている。
【００３８】
一方、固定梁部１１４および可動梁部１１５において開口窓１１１に臨む一面には、器体１の両側面に各一対ずつ突設された取付爪３ａと凹凸係合する保持部としての保持溝１１４ａ，１１５ａが各３対ずつ等ピッチで設けられる（図９（ｂ）（ｃ）参照）。したがって、器体１に設けた取付爪３ａを各保持溝１１４ａ，１１５ａに凹凸係合させると、器体１の前面を開口窓１１１から露出させた形でプレート枠１１０に器体１を取着することができる。また、器体１がプレート枠１１０から前方に抜け落ちないように、固定梁部１１４および可動梁部１１５の基部には器体１の両側面に突設した肩部５の前面に当接する当接部１１４ｄ，１１５ｄが形成されている。つまり、肩部５の前面が当接部１１４ｄ，１１５ｄに当接し、取付爪３ａの後面が保持溝１１４ａ，１１５ａに係止されることによって、器体１がプレート枠１１０に取着される。
【００３９】
ここで、固定梁部１１４と可動梁部１１５との開口窓１１１に臨む一面における各先端部分には、器体１の取付爪３ａをプレート枠１１０の後面側から保持溝１１４ａ，１１５ａに導入する際に、各取付爪３ａを保持溝１１４ａ，１１５ａに誘導するために、先端側ほど互いの距離を広げるように傾斜した傾斜面となった誘導部１１４ｂ，１１５ｂが設けてある。すなわち、図１０（ａ）〜（ｃ）に示すようにプレート枠１１０に器体１を取り付けるには、器体１の一側面に突設した取付爪３ａを固定梁部１１４の保持溝１１４ａに係合させておき、器体１の前端部を開口窓１１１にほぼ一致させて器体１をプレート枠１１０に対して前方に押し込むと、器体１の他側面に突設した取付爪３ａが、可動梁部１１５を撓ませながら、取付爪３ａに設けた傾斜面と誘導部１１５ｂとによって保持溝１１５ａに追い込まれ、取付爪３ａを保持溝１１５ａに容易に係合させることができる。
【００４０】
一方、固定梁部１１４の基部には、隣接する各一対の保持溝１１４ａの間にプレート枠１１０を表裏に貫通する器具外し孔１１４ｃが設けられており、器体１をプレート枠１１０に取着した状態で、ドライバや取外し専用の工具等の先端部分を器具外し孔１１４ｃに挿入し、工具の先端部分で器体１を可動梁部１１５側へ押すと梃子の原理によってわずかな力で可動梁部１１５を撓ますことができ、固定梁部１１４側の保持溝１１４ａと器体１の取付爪３ａとの係合状態を解除してプレート枠１１０から器体１を取り外すことができるようになっている。
【００４１】
なお上述のように、プレート枠１１０は固定梁部１１４と可動梁部１１５とにそれぞれ３対の保持溝１１４ａ，１１５ａを有し、器体１には各側面に一対ずつの取付爪３ａが形成されているから、上述の器体１をプレート枠１１０に３個まで取り付けることが可能である。つまり、プレート枠１１０は３個用であって、３個用のプレート枠１１０に最大３個まで取り付けることができるように取付寸法を設定した器体１を１個モジュール寸法の器体１と呼ぶことにする。このように、器体１とプレート枠１１０との相対的な取付寸法を規定しておくことによって、プレート枠１１０には１〜３個の範囲の任意個数の器体１を取り付けることが可能になる。固定梁部１１４および可動梁部１１５に設けた各保持溝１１４ａ，１１５ａのピッチは１個モジュール寸法の器体１の側面に突設されている取付爪３ａのピッチと等しく、かつ上述のように各保持溝１１４ａ，１１５ａは等間隔であるから、１個モジュール寸法の器体１であれば固定梁部１１４および可動梁部１１５の隣接する任意の２個の保持溝１１４ａ，１１５ａを用いてプレート枠１１０に取着することができる。図１（ｂ）は器体１をプレート枠１１０に取り付けた状態を示している。
【００４２】
ところで、プレート枠１１０の各横片１１２の中間部前面にはそれぞれ凹所１３１が形成してある。各凹所１３１には、プレート枠１１０を埋込ボックス（図示せず）に取り付けるためのボックスねじを挿通するボックス用孔１３２と、プレート枠１１０を壁面等の施工面に直付けするためのねじが挿通されるねじ挿通孔１３３と、施工面を形成する壁パネル等に取り付ける際に使用するはさみ金具（図示せず）を係止するはさみ金具係止孔１３４とが設けてある。
【００４３】
また、プレート枠１１０の４隅には、化粧プレート１２０の後面から突設した係止突起１２３を係止する化粧プレート係止孔１３５が設けてあり、化粧プレート係止孔１３５に係止突起１２３を挿入係止することでプレート枠１１０の前面を覆う形で化粧プレート１２０を着脱自在に取り付けることができるようになっている。
【００４４】
化粧プレート１２０は、絶縁性を有する合成樹脂を用いて形成されたものであって、プレート枠１１０の前面を覆う平面視矩形状の主部１２１と、主部１２１の周縁から全周に亙って後方に突出する側壁１２２とを連続一体に形成した略箱形に形成される。係止突起１２３は主部１２１の後面側の４隅に突設してある。また、主部１２１の中央部には、プレート枠１１０に取り付けた器体１の前面を露出させる開口窓１２１ａが設けてある。
【００４５】
また、化粧プレート１２０の側壁１２２の内側面には、図８に示すように、先端側ほど開口幅を広げるように傾斜した傾斜面１２２ａが形成され、かつプレート枠１１０の側面に当接してプレート枠１１０に対する化粧プレート１２０の位置ずれを防止する規制リブ１２４を複数列設している。
【００４６】
ところで、図７及び図９（ａ）（ｆ）に示すようにプレート枠１１０の両枠片１１３ａ，１１３ｂの外側面には、後方ほど外側に突出するように傾斜する傾斜面１１３ｃと、傾斜面１１３ｃに連続して外側に張り出した張出部１１３ｄとが形成されている。さらに、化粧プレート１２０の短幅方向における両側壁１２２の内側面には後端面が張出部１１３ｄの前面に当接するリブ１２５が突設され、このリブ１２５によって化粧プレート１２０のがたつきが防止される。またプレート枠１１０に化粧プレート１２０を取り付けるときには、化粧プレート１２０の規制リブ１２４がプレート枠１１０の枠片１１３ａ，１１３ｂに形成した傾斜面１１３ｃに案内されるから、取り付けが容易である。
【００４７】
化粧プレート１２０の上下の一方の側壁１２２には一対の切欠部１２６が設けてあり、この切欠部１２６に工具（マイナスドライバの先端部など）を差し込んで化粧プレート１２０をプレート枠１１０から離す向き（前向き）の力を作用させると、化粧プレート１２０の係止突起１２３とプレート枠１１０の化粧プレート係止孔１３５との係合状態が解除され、化粧プレート１２０をプレート枠１１０から取り外すことができる。尚、プレート枠１１０の枠片１１３ｂにおいて切欠部１２６に対応する位置には傾斜面１１３ｃよりも内側へ窪んだ逃がし部１３６が設けてあり、切欠部１２６に差し込まれた工具を逃がして奥まで挿入できるようにしてあり、化粧プレート１２０を取り外す際に力を作用させやすくしてある。さらに、逃がし部１３６の後面側端部からは張出部１１３ｄよりも薄肉のリブ１３７が、化粧プレート１２０の切欠部１２６から突出しない程度まで延設してある。すなわち、切欠部１２６に差し込んだ工具に施工面に当接する部分を支点として力を加えることで施工面に傷が付くおそれがあるが、リブ１３７を設けていることで切欠部１２６に差し込んだ工具がリブ１３７に当接し、化粧プレート１２０をプレート枠１１０から取り外す際に工具によって施工面に傷が付くのを防ぐことができる。
【００４８】
また化粧プレート１２０の後面側には、プレート枠１１０に取着したときにプレート枠１１０に設けた３つのスリット１１８ａ〜１１８ｃにそれぞれ嵌入される突条片１２８ａ〜１２８ｃが列設してある。ここで、各突条片１２８ａ〜１２８ｃの寸法は、プレート枠１１０の各スリット１１８ａ〜１１８ｃに嵌入された状態で、スリット１１８ａ〜１１８ｃの内周面と各突条片１２８ａ〜１２８ｃとの間にわずかな隙間しか生じないような寸法に設定してある。すなわち、器体１を取り付けたプレート枠１１０に化粧プレート１２０を取着した状態では、３つの突条片１２８ａ〜１２８ｃがプレート枠１１０の各スリット１１８ａ〜１１８ｃに嵌入され、スリット１１８ａ〜１１８ｃの内周面と各突条片１２８ａ〜１２８ｃとの間にはわずかな隙間しか生じないことから、プレート枠１１０の可動梁部１１５の動き（撓み）が規制されることになる。その結果、コンセントＡに差し込まれたプラグ２００を異常に大きな力で引き抜く等の衝撃が加えられた場合でも、可動梁部１１５の動きが規制されているために器体１の取付爪３ａと可動梁部１１５および固定梁部１１４の保持溝１１５ａ，１１４ａとの係止が外れにくく、器体１が外れてしまうのを防止できる。
【００４９】
以上説明したように本実施形態の配線装置は、直流電源用のプラグ２００が着脱自在に接続されるＩＥＣ規格に準拠したコンセント部２０が器体１の前面に設けられたコンセントＡと、コンセントＡの器体１が取着され、造営面に開口する埋込孔に前面側の開口を連通させた状態で造営面に埋め込まれる埋込ボックスに器体１の後部を収納した状態で、埋込ボックスの開口部に取着されるプレート１００（枠部材）とを備えており、プレート１００を用いてコンセントＡを埋込配設できるとともに、他の配線器具と共にプレート１００に連設することができる。例えば図１１（ａ）に示すように、１個モジュール寸法に形成された他のＡＣコンセントＢ１と上記のコンセントＡをプレート枠１１０に併設することもできるし、図１１（ｂ）に示すように２個モジュール寸法に形成された接地極付きのＡＣコンセントＢ２と上記のコンセントＡをプレート枠１１０に併設することもできる。
【００５０】
ここにおいて、本実施形態のコンセントＡは１個モジュール寸法に形成されており、器体１のボス部（開口窓１１１から露出する部位）の短幅方向寸法は日本工業規格で規格化された大角形連用配線器具の１個モジュールと略等しく（約２３ｍｍ）、ボス部の長手方向寸法は大角形連用配線器具の１個モジュールに比べて幅広（約３６ｍｍ）に設定されている。また本実施形態のプレート１００は、開口窓１１１の長手方向寸法が、日本工業規格で規格化された大角形連用配線器具の取付枠と略同じ寸法に形成されるとともに、開口窓１１１の短幅方向寸法が大角形連用配線器具の取付枠に比べて幅広に形成されており、このようなコンセントＡ及びプレート１００は、例えば中華人民共和国、タイ王国、インドネシア共和国、台湾などの国及び地域で使用されてる。
【００５１】
ところで、上記のコンセントＡの器体１は１個モジュール寸法に形成され、器体１の前面にコンセント部２０が１口設けられているが、図１２（ａ）（ｂ）に示すように器体１を２個モジュール寸法に形成するとともに、器体１の前面に上述のコンセント部２０を１口又は２口設けるようにしても良い。また図１３（ａ）〜（ｃ）に示すように器体１を３個モジュール寸法に形成するとともに、器体１の前面に上述のコンセント部２０を１個、２個、或いは３個設けるようにしても良い。
【００５２】
ここで、図１２（ａ）又は図１３（ａ）（ｂ）に示す例では、複数口（２口又は３口）設けられたコンセント部２０から電圧値の同じ直流電源が供給されるようになっているが、複数口のコンセント部２０から複数種類の電源が供給されるようにしても良い。図１４（ａ）は３口のコンセント部２０ａ〜２０ｃを備えたコンセントＡの内部ブロック図であり、電源入力端子Ｔ１，Ｔ２（上述の端子片９ｃ及び鎖錠ばね１０からなる）にＡＣ４８Ｖの交流電源ＡＣが供給され、端子Ｔ１，Ｔ２に入力されたＡＣ４８Ｖの交流電源ＡＣがそのままコンセント部２０ａから出力されるとともに、入力電源をトランス１５により降圧して得たＡＣ２４Ｖの交流電源がコンセント部２０ｂから出力され、さらに入力電源をＡＣ／ＤＣコンバータ１６により直流の４８Ｖに変換した直流電源がコンセント部２０ｃから出力されるようになっている。すなわち、図１４（ａ）に示すコンセントＡでは、２種類の電圧値の交流電源（ＡＣ４８Ｖ，ＡＣ２４Ｖ）と１種類の直流電源（ＤＣ４８Ｖ）が供給可能となっている。また図１４（ｂ）はコンセントＡの他例を示すブロック図であり、電源入力端子Ｔ１，Ｔ２にＤＣ４８Ｖの直流電源Ｅが供給され、端子Ｔ１，Ｔ２に入力されたＤＣ４８Ｖの直流電源Ｅがそのままコンセント部２０ａから出力されるとともに、入力電源の電圧値をＤＣ／ＤＣコンバータ１７ａにより変換して得たＤＣ２４Ｖの直流電源がコンセント部２０ｂから出力され、さらに入力電源の電圧値をＤＣ／ＤＣコンバータ１７ｂにより変換して得たＤＣ１２Ｖの直流電源がコンセント部２０ｃから出力されるようになっている。すなわち、図１４（ｂ）に示すコンセントＡでは、３種類の電圧値の直流電源（ＤＣ４８Ｖ，ＤＣ２４Ｖ，ＤＣ１２Ｖ）が供給可能となっている。
【００５３】
（実施形態２）
本発明に係る配線装置の実施形態２を図１５〜図１９に基づいて説明する。本実施形態では、実施形態１で説明したコンセントＡにおいて、プラグ２００が備える接地極用のピン端子が接続される接地端子接続部２７をコンセント部２０に設けてある。尚、接地端子接続部２７を設けた点を除いては実施形態１の配線装置と同様であるので、共通する構成要素には同一の符号を付して、その説明は省略する。
【００５４】
コンセントＡの器体１には、実施形態１と同様にプラグ２００が挿抜自在に接続されるコンセント部２０が前面に設けられており、本実施形態ではコンセント部２０に接地極付きのプラグ２００が接続可能になっている。
【００５５】
先ず、接地極付きのプラグ２００について図１７（ａ）を参照して説明する。プラグ２００は負荷機器からの電線２１０の端部に接続されている。プラグ２００は略直方体状であって一面が断面半円形に湾曲した把持部２０１を有し、把持部２０１の前側部には後側部に比べて細幅の嵌合部２０２が一体に設けられている。嵌合部２０２の前面には、丸穴状に凹んだ嵌合穴２０３が一端側（断面半円形に湾曲した曲面側）に、角穴状に凹んだ嵌合穴２０７が他端側にそれぞれ開口し、嵌合穴２０３と嵌合穴２０７との間には所定の間隔を設けてある。
【００５６】
角穴状の嵌合穴２０７の内部には、導電材料により丸棒状に形成された接地極用のピン端子２０４ｃが片側に寄せて配置されている。一方、丸穴状の嵌合穴２０３の内部には、導電材料によりそれぞれ丸棒状に形成された電圧極用の２本のピン端子２０４ａ，２０４ｂが配置されている。この嵌合穴２０３の内周面には、基準位置を示す基準リブ２０５と電圧識別用の識別リブ２０６とが突設されている。ここで、ピン端子２０４ａ，２０４ｂおよび基準リブ２０５、識別リブ２０６の配置は、実施形態１で説明したプラグ２００と同様であるので、その説明については省略する。
【００５７】
一方、コンセントＡが備えるコンセント部２０では、図１５及び図１６に示すように、プラグ２００の嵌合部２０２の前面と形状及び大きさが同じであって嵌合部２０２が挿抜自在に接続されるプラグ挿入用穴２１が開口している。プラグ挿入用穴２１の底面からは、プラグ２００の嵌合穴２０３内に挿入される円柱状の突出部２２と、嵌合穴２０７内に挿入される角柱状の突出部２６とがそれぞれ前方に向かって突出形成されている。尚、角柱状の突出部２６は、嵌合穴２０７に比べて幅寸法（図１５（ｂ）中の上下方向寸法）が略半分に形成されている。
【００５８】
そして、円柱状の突出部２２の前面には、電圧極用のピン端子２０４ａ，２０４ｂがそれぞれ挿入される端子挿入用孔２３ａ，２３ｂが開口し、突出部２２の内側には、実施形態１と同様、端子挿入用孔２３ａ，２３ｂを通して内部に挿入されるピン端子２０４ａ，２０４ｂに電気的に接続される刃受部材９，９が収納されている。また突出部２６の前面には、接地極用のピン端子２０４ｃが挿入される端子挿入用孔２６ａが開口している。突出部２６の内部には、上述の刃受部材９と同様の形状を有する刃受部材（図示せず）が収納されており、端子挿入用孔２６ａを通して内部に挿入されたピン端子２０４ｃが、接地極用の刃受部材に電気的に接続されるようになっている。
【００５９】
また突出部２２の外周面には、基準位置を示す嵌合溝２４がプラグ挿抜方向に沿って形成され、突出部２２の中心位置を通り、当該中心位置と嵌合溝２４とを結ぶ線分に対して直交する直線上には、中心位置に対して対称な位置に上記の端子挿入用孔２３ａ，２３ｂが開口している。また更に、突出部２２の外周面には、電源の種類（直流又は交流の別、及び定格電圧）に応じた位置に、プラグ２００の識別リブ２０６が嵌合する誤接続防止用の嵌合溝２５（誤接続防止溝）が形成されている。ここで、端子挿入用孔２３ａ，２３ｂ及び嵌合溝２５の位置は実施形態１で説明したコンセントＡと同様であるので、その説明は省略する。
【００６０】
またボディ２の後壁には２個で１組の電線挿入口２ｂが３組開口し、ボディ２の内部には電線挿入口２ｂからそれぞれ挿入される電線が接続される速結端子構造の端子（図示せず）が収納されており、３組の電線挿入口の内の２組が外部電源の接続用、残りの１組が接地線の接続用に用いられる。
【００６１】
上述のように本実施形態のコンセントＡは、前面に端子挿入用孔２３ａ，２３ｂが開口した突出部２２、及び、突出部２２内に配置された刃受部材９などからなる電源端子接続部と、前面に端子挿入用孔２６ａが開口した突出部２６、及び、突出部２６内に配置された刃受部材などからなる接地端子接続部２７とを両方共に備えている。したがって、接地極用のピン端子２０４ｃを備えたプラグ２００がコンセントＡに接続されると、プラグ２００の電圧極用のピン端子２０４ａ，２０４ｂが電源端子接続部に接続されるとともに、接地極用のピン端子２０４ｃが接地端子接続部２７に接続されるので、負荷機器からのプラグ２００をコンセントＡに接続するだけで負荷機器を接地することができ、配線の手間を簡略化することができる。またコンセントＡの電源端子接続部はＩＥＣ規格に準拠しているので、ＩＥＣ規格に準拠したプラグ２００であれば接続が可能であり、しかも接地端子接続部２７は電源端子接続部の外側に設けられているので、ＩＥＣ規格に準拠したプラグ２００であれば、接地極用のピン端子２０４ｃを備えていないプラグ２００でも接続することができる。
【００６２】
ところで、上記のコンセントＡの器体１は１個モジュール寸法に形成され、器体１の前面にコンセント部２０が１口設けられているが、図１８（ａ）（ｂ）に示すように２個モジュール寸法に形成された器体１の前面に上述のコンセント部２０を１口又は２口設けるようにしても良い。また図１９（ａ）〜（ｃ）に示すように３個モジュール寸法に形成された器体１の前面に上述のコンセント部２０を１個、２個、或いは３個設けるようにしても良い。また更に、コンセント部２０を複数備えるコンセントＡでは、実施形態１で説明したようにトランス、ＡＣ／ＤＣコンバータ、ＤＣ／ＤＣコンバータなどを内蔵して電力変換を行い、電力変換を行って得た直流電源又は交流電源をコンセント部から出力するようにしても良い。
【００６３】
（実施形態３）
本発明に係る配線装置の実施形態３を図２０〜図２１に基づいて説明する。本実施形態では、実施形態２で説明したコンセントＡにおいて、プラグ２００が備える信号伝送用のピン端子が挿抜自在に接続される信号端子接続部をコンセント部２０に設けてある。尚、信号端子接続部を設けた点を除いては実施形態２の配線装置と同様であるので、共通する構成要素には同一の符号を付して、その説明は省略する。
【００６４】
図２０（ｂ）は接地端子及び信号端子付きのプラグ２００を示しており、嵌合部２０２の前面に設けた嵌合穴２０７の内部には、同図中の上側に導電材料により丸棒状に形成されたピン端子２０４ｃが配設されるとともに、同図中の下側に導電材料により帯板状に形成された信号伝送用の２本の端子片２０８ａ，２０８ｂが、左右に並べて配置されている。すなわち、信号伝送用の２本の端子片２０８ａ，２０８ｂは、電圧極用のピン端子２０４ａ，２０４ｂが配置される嵌合穴２０３の外側部位（嵌合穴２０７内）にプラグ挿抜方向に沿って配置されている。
【００６５】
一方、コンセントＡのコンセント部２０では、実施形態２と同様、プラグ挿入用穴２１内に、プラグ２００の嵌合穴２０７内に挿入される角柱状の突出部２６が前方に向かって突出形成されており、この突出部２６は嵌合穴２０７と略同じ大きさに形成されている。そして、突出部２６の前面には、接地極用のピン端子２０４ｃが挿入される端子挿入用孔２６ａが開口するとともに、信号伝送用の２本の端子片２０８ａ，２０８ｂがそれぞれ挿入される角穴状の端子挿入用孔２６ｂ，２６ｃがそれぞれ開口している。突出部２６の内部には、上述の刃受部材９と同様の形状を有する刃受部材（図示せず）が収納されており、端子挿入用孔２６ａを通して内部に挿入されたピン端子２０４ｃが接地極用の刃受部材に電気的に接続されるとともに、端子挿入用孔２６ｂ，２６ｃを通して内部に挿入された端子片２０８ａ，２０８ｂが信号伝送用の刃受部材に電気的に接続されるようになっている。
【００６６】
ここにおいて、突出部２６、端子挿入用孔２６ｂ，２６ｃ及び端子挿入用孔２６ｂ，２６ｃを通して突出部２６内に挿入される端子片２０８ａ，２０８ｂに電気的に接続される刃受部材などから、電源端子接続部とは異なる部位に設けられて、プラグ２００が備える信号伝送用の端子片２０８ａ，２０８ｂに電気的に接続される信号端子接続部２８が構成される。また、突出部２６、端子挿入用孔２６ａ及び端子挿入用孔２６ａを通して突出部２６内に挿入されるピン端子２０４ｃに電気的に接続される刃受部材などから接地端子接続部２７が構成される。
【００６７】
このように本実施形態のコンセントＡは、前面に端子挿入用孔２３ａ，２３ｂが開口した突出部２２、及び、突出部２２内に配置された刃受部材９などからなる電源端子接続部と、接地端子接続部２７と、信号端子接続部２８とを共に備えている。したがって、接地端子及び信号端子付きのプラグ２００がコンセントＡに接続されると、プラグ２００の電圧極用のピン端子２０４ａ，２０４ｂが電源端子接続部に接続されるとともに、接地極用のピン端子２０４ｃが接地端子接続部２７に接続され、且つ、信号端子用の端子片２０８ａ，２０８ｂが信号端子接続部２８に接続されるから、負荷機器からのプラグ２００をコンセントＡに接続するだけで、負荷機器が備える信号伝送用の端子が、コンセントＡに接続される信号線に電気的に接続されるとともに、コンセント部２０にプラグ２００が接続された負荷機器を接地することができ、配線接続の手間を簡略化できる。またコンセントＡの電源端子接続部はＩＥＣ規格に準拠しており、ＩＥＣ規格に準拠したプラグであれば接続が可能であり、しかも信号端子接続部２８は電源端子接続部の外側に設けられているので、ＩＥＣ規格に準拠したプラグであれば、信号伝送用の端子片２０８ａ，２０８ｂを備えていないプラグでも接続することができる。
【００６８】
尚、本実施形態のコンセントＡでは、信号端子接続部２８に加えて接地端子接続部２７も備えているが、図２１（ａ）に示すように接地端子接続部２７を無くして、電源端子接続部及び信号端子接続部２８のみを備えるようにしても良く、図２１（ｂ）に示すように電圧極のピン端子２０４ａ，２０４ｂに加えて、信号伝送用の端子片２０８ａ，２０８ｂを備えたプラグ２００を接続することができる。
【００６９】
（実施形態４）
本発明の実施形態４を図２２〜図２５に基づいて説明する。本実施形態の配線装置は、コンセントＡと、このコンセントＡを造営面に設けた埋込用孔に埋込配設するために用いる取付枠６０（枠部材）とで構成される。
【００７０】
コンセントＡの器体１は略直方体状であって、前面に平面視の形状が円形状の突台１ａを有し、この突台１ａに実施形態１で説明したコンセント部２０が設けられている。また器体１の左右両側面には、外部電源からの電線を接続するためのねじ端子１８が設けられている。このコンセントＡの器体１はＮＥＭＡ規格（米国電機工業会）の規格Ｗ６Ｄに準拠した形状、大きさに形成されており、アメリカ合衆国などで使用されるコンセントと同様の形状に形成されている。
【００７１】
また取付枠６０は金属製であって、コンセントＡの器体１の上下両側面及び後面にそれぞれ当接するコ字状部６１と、コ字状部６１の上下片の先端部からそれぞれ外向き（上側又は下側）に突出する取付片６２，６２とが連続一体に形成されている。そして、各取付片６２には、造営面に埋設された埋込ボックス（図示せず）に取り付けるためのボックスねじを挿通するボックス用孔６３と、取付枠６０の前面側にプレートねじ６６を用いて化粧プレート６５をねじ止めするためのねじ孔６４とが設けられている。なお化粧プレート６５は、矩形板状の主部６５ａの周部から後方に向かって側部が突設されてなり、主部６５ａの中央部に設けた丸孔状の窓孔６５ｂからコンセントＡの突台１ａが露出するようになっている。
【００７２】
上述のように本実施形態では、コンセントＡの器体１がＮＥＭＡ規格に準拠した形状、大きさに形成されているので、ＮＥＭＡ規格に準拠した埋込型配線器具を埋込配設するために用いる取付枠６０を用いて埋込配設することができ、取付枠６５の前面側に化粧プレート６５を取り付けると、取付枠６５の窓孔６５ｂからコンセントＡの突台１ａが露出し、コンセント部２０に対してプラグ２００を挿抜自在に接続することができる。
【００７３】
尚、図２２に示すコンセントＡは電源端子接続部しか備えていないが、図２３に示すようにコンセント部２０に実施形態２で説明した接地端子接続部２７を設けても良いし、実施形態３で説明した信号端子接続部２８を設けても良く、また接地端子接続部２７と信号端子接続部２８の両方を設けても良い。
【００７４】
また、上記のコンセントＡはコンセント部２０を１口しか備えていないが、図２４に示すようにコンセント部２０を２口設けても良い。図２４に示すコンセントＡでは縦長の直方体状の器体１を備え、器体１前面の上下両側に平面視の形状が略長円形の突台１ａ，１ａを設け、各突台１ａに実施形態１で説明したコンセント部２０がそれぞれ設けられている。また、取付枠６０の前面側に取着される化粧プレート６５には、主部６５ａにおいて突台１ａ，１ａにそれぞれ対向する部位に、突台１ａをそれぞれ露出させる窓孔６５ｂ，６５ｂが貫設されている。
【００７５】
尚、図２４に示すコンセントＡは電源端子接続部しか備えていないが、コンセント部２０に実施形態２で説明した接地端子接続部２７を設けても良いし（図２５参照）、実施形態３で説明した信号端子接続部２８を設けても良く、また接地端子接続部２７と信号端子接続部２８の両方を設けても良い。
【００７６】
（実施形態５）
本発明の実施形態５を図２６〜図３４に基づいて説明する。本実施形態の配線装置は、英国や中近東諸国で主に使用されるＢＳボックス３００及び中華人民共和国で主に使用されるＧＢボックス３１０に固定される取付枠１９０と、この取付枠１９０に取着されるコンセントＡとで構成される。なおＢＳボックス３００は、図２６（ｉ）に示すように前面が開口した略箱状であって、開口縁には上下左右の各辺の中央部に、ねじ孔３０１を有する舌片３０２が突設されている。またＧＢボックス３１０は、図２６（ｈ）に示すように前面が開口した略箱状であって、開口縁には左右両側辺の中央部に、ねじ孔３１１を有する舌片３１２が突設されている。
【００７７】
取付枠１９０は、図２６（ｅ）及び図２８（ａ）（ｂ）に示すように矩形枠状であって、埋込型の配線器具が挿入配置される開口窓１９１が略中央に設けられ、４つの枠片にはそれぞれＢＳボックス３００及びＧＢボックス３１０のねじ孔３０１，３１１に螺合させるためのボックスねじを挿通するねじ挿通孔１９２が貫設されている。また上下の枠片には、開口窓１９１の周縁に前面側から凹没させた段部１９３が形成されている。
【００７８】
一方、コンセントＡの器体１は、図２７（ａ）（ｂ）に示すように略直方体状であって、前側部から側方に向かって鍔１ｂが突設されるとともに、鍔１ｂの後面との間で取付枠１９０の枠片を挟持する弾性係止片１ｃが上下両側面に設けられている。そして、器体１の前面には実施形態１で説明したコンセント部２０が設けられている。尚、コンセント部２０は実施形態１と同様であるので、詳細については説明を省略する。
【００７９】
図２６（ａ）及び図２７に示す器体１の縦寸法は４２〜４６ｍｍ、幅寸法は開口窓１９１の幅寸法の略半分の寸法（２２〜２３ｍｍ）となっており、取付枠１９０に２個並べて取着することが可能であるが、コンセント部２０は１口のみとなっている。一方、図２６（ｂ）〜（ｄ）に示すコンセントＡでは器体１の幅寸法が、開口窓１９１の幅寸法と略同じ寸法となっており、コンセント部２０が１口〜３口設けられている。ここで、図２６及び図２７に示すコンセントＡは、プラグが備える接地極用のピン端子が接続される接地端子接続部や信号伝送用のピン端子が接続される信号端子接続部を備えてはいないが、図３０（ａ）〜（ｃ）に示すようにコンセント部２０に実施形態２で説明した接地端子接続部２７のみを追加して設けても良いし、実施形態３で説明した信号端子接続部２８のみを追加して設けても良く、また接地端子接続部２７及び信号端子接続部２８の両方を追加で設けても良い。
【００８０】
このコンセントＡを造営面に施工するにあたっては、先ずコンセントＡの器体１が、鍔１ｂを前側に向けた状態で、取付枠１９０の開口窓１９１内に前方から挿入され、鍔１ｂ後面が開口窓１９１の周縁に設けた段部１９３に当接すると、弾性係止片１ｃが取付枠１９０の上下の枠片に後側から当接し、鍔１ｂと弾性係止片１ｃとの間で取付枠１９０が挟持されることで、器体１が取付枠１９０に取着される（図２９参照）。その後、取付枠１９０のねじ挿通孔１９２に挿通されたボックスねじ（図示せず）が、ＢＳボックス３００又はＧＢボックス３１０のねじ孔３０１，３１１に螺合されると、コンセントＡの器体１を保持した取付枠１９０がＢＳボックス３００又はＧＢボックス３１０に取着されるのである。
【００８１】
ところで、このコンセントＡの器体１は、ドイツ連邦共和国、フランス共和国、インドネシア共和国などで使用される埋込ボックスであるＣボックス３２０にも取付可能であり、Ｃボックス３２０に取り付ける際には取付枠１４０を用いて取り付けられるようになっている。Ｃボックス３２０は、図２６（ｊ）に示すように前面が開口した有底円筒状であって、開口部には、ねじ孔３２１を有する舌片３２２が、円筒の中心位置に対して対称な位置に突設されている。また取付枠１４０は図２６（ｆ）に示すように矩形枠状であって、埋込型の配線器具が挿入配置される開口窓１４１が略中央に設けられ、左右両側の枠片にはそれぞれＣボックス３２０のねじ孔３２１に螺合させるためのボックスねじを挿通するねじ挿通孔１４２が貫設されている。また上下の枠片には、開口窓１９１の周縁に前面側から凹没させた段部１９３が形成されている。
【００８２】
而して、コンセントＡの器体１をＣボックス３２０内に埋込配設するにあたっては、先ずコンセントＡの器体１が、鍔１ｂを前側に向けた状態で、取付枠１４０の開口窓１４１内に前方から挿入され、鍔１ｂ後面が開口窓１４１の周縁に設けた段部１４３に当接すると、弾性係止片１ｃが取付枠１４０の上下の枠片に後側から当接し、鍔１ｂと弾性係止片１ｃとの間で取付枠１４０が挟持されることで、器体１が取付枠１４０に取着される。その後、取付枠１４０のねじ挿通孔１４２に挿通されたボックスねじ（図示せず）が、Ｃボックス３２０のねじ孔３２１に螺合されると、コンセントＡの器体１を保持した取付枠１４０がＣボックス３２０に取着されるのである。
【００８３】
また、このコンセントＡの器体１は、日本国、アメリカ合衆国、台湾などの国及び地域で使用される埋込ボックスであるＡボックス３３０にも取り付け可能であり、Ａボックス３３０に取り付ける際には取付枠１５０を用いて取り付けられるようになっている。Ａボックス３３０は、図２６（ｋ）に示すように前面が開口した略箱状であって、開口部には、ねじ孔３３１を有する舌片３３２が、上下両側壁の略中央に突設されている。また取付枠１５０は図２６（ｇ）に示すように矩形枠状であって、埋込型の配線器具が挿入配置される開口窓１５１が略中央に設けられ、上下両側の枠片にはそれぞれＡボックス３３０のねじ孔３３１に螺合させるためのボックスねじを挿通するねじ挿通孔１５２が貫設されている。尚、Ａボックスとはアメリカタイプの埋込ボックスであり、ＮＥＭＡ規格に準拠した埋込ボックスである。
【００８４】
このコンセントＡの器体１をＡボックス３３０内に埋込配設するにあたっては、先ずコンセントＡの器体１が、鍔１ｂを前側に向けた状態で、取付枠１５０の開口窓１５１内に前方から挿入され、鍔１ｂ後面が開口窓１５１の周縁に設けた段部１５３に当接すると、弾性係止片１ｃが取付枠１５０の左右の枠片に後側から当接し、鍔１ｂと弾性係止片１ｃとの間で取付枠１５０が挟持されることで、器体１が取付枠１５０に取着される。その後、取付枠１５０のねじ挿通孔１５２に挿通されたボックスねじ（図示せず）が挿通され、このボックスねじがＣボックス３３０のねじ孔３３１に螺合されると、コンセントＡの器体１を保持した取付枠１５０がＣボックス３３０に取着されるのである。
【００８５】
ところで、上述した本実施形態のコンセントＡの器体１は取付枠と別体に形成されているが、取付枠を一体化した形状にコンセントＡの器体を構成しても良い。例えば図３１（ａ）に示すコンセントＡの器体１６０は、図２６に示すコンセントＡの器体１と、ＢＳボックス３００又はＧＢボックス３１０に取り付けるための取付枠１９０とを一体化した形状に形成されている。すなわち器体１６０は、前面にコンセント部２０が形成された箱状の本体部１６１と、本体部１６１の前側部の四周から側方に突出する鍔部１６３とを一体に備えており、鍔部１６３の各辺の中央部にはねじ挿通孔１６２が貫設されている。なお器体１６０の前面側には、本体部１６１の前面を露出させる窓孔１７１を有する化粧プレート１７０が着脱自在に取着され、窓孔１７１を通してコンセント部２０が露出するようになっている。このように器体１６０は取付枠を一体化した形状に形成されているので、別体に形成された取付枠を使用せずに埋込ボックス（ＢＳボックス３００やＧＢボックス３１０）に取り付けることができ、部品数を減らすことができる。尚、ＢＳボックスとは英国のＢＳ規格に準拠した埋込ボックスであり、ＧＢボックスとは中華人民共和国の国家標準化管理委員会によって規定されたＧＢ規格に準拠した埋込ボックスである。
【００８６】
また図３１（ａ）に示すコンセントＡの器体１６０は、取付枠を一体化したものであるが、図３１（ｂ）に示すように器体１６５の形状を、取付枠と上述の化粧プレート１７０を一体化した形状に形成しても良い。尚、図中の１６６はボックスねじを挿通するためのねじ挿通孔である。而して、このコンセントＡでは、取付枠および化粧プレートを一体化した形状に器体１６５を構成しているので、別体に形成された取付枠や化粧プレートを使用しなくても埋込ボックス（ＢＳボックス３００やＧＢボックス３１０）に取り付けることができ、部品数をさらに削減することができる。尚、図３１（ａ）（ｂ）に示したコンセントＡでは、プラグの接地極用のピン端子が接続される接地端子接続部や信号伝送用のピン端子が接続される信号端子接続部を備えてはいないが、図３３（ａ）（ｂ）に示すようにコンセント部２０に実施形態２で説明した接地端子接続部２７のみを追加して設けても良いし、実施形態３で説明した信号端子接続部２８のみを追加して設けても良く、また接地端子接続部２７及び信号端子接続部２８の両方を追加で設けても良い。
【００８７】
また、図３１及び図３３に示すコンセントＡでは、ＢＳボックス３００又はＧＢボックス３１０に取り付けるための取付枠１９０を一体化した形状に器体を形成しているが、図３２（ａ）に示すように、Ｃボックス３２０に取着される１４０が一体化された形状に器体１８０を形成しても良い。この器体１８０は、前面にコンセント部２０が形成された箱状の本体部１８１と、本体部１８１の前側部の四周から側方に突出する鍔部１８３とを一体に備えており、鍔部１８３の各辺の中央部にはねじ挿通孔１８２が貫設されている。尚、器体１８０の前面側には、本体部１６１の前面を露出させる窓孔１７１を有する化粧プレート１７０が着脱自在に取着され、窓孔１７１を通してコンセント部２０が露出するようになっている。このように器体１８０は取付枠を一体化した形状に形成されているので、別体に形成された取付枠を使用せずに埋込ボックス（Ｃボックス３２０）に取り付けることができる。尚、Ｃボックスとはドイツ連邦共和国及びフランス共和国等の欧州大陸国の規格に準拠した埋込ボックスである。
【００８８】
また図３２（ａ）に示すコンセントＡの器体１８０は、取付枠を一体化したものであるが、図３２（ｂ）に示すように器体１８５の形状を、取付枠と上述の化粧プレート１７０を一体化した形状に形成しても良い。尚、図中の１８６はボックスねじを挿通するためのねじ挿通孔である。而して、このコンセントＡでは、取付枠および化粧プレートを一体化した形状に器体１８５を構成しているので、別体に形成された取付枠や化粧プレートを使用しなくても埋込ボックス（Ｃボックス３２０）に取り付けることができ、部品数を削減することができる。尚、図３２（ａ）（ｂ）に示したコンセントＡでは、プラグの接地極用のピン端子が接続される接地端子接続部や信号伝送用のピン端子が接続される信号端子接続部を備えてはいないが、図３４（ａ）〜（ｃ）に示すようにコンセント部２０に実施形態２で説明した接地端子接続部２７のみを追加して設けても良いし、実施形態３で説明した信号端子接続部２８のみを追加して設けても良く、また接地端子接続部２７及び信号端子接続部２８の両方を追加で設けても良い。
【００８９】
ところで、上述した実施形態１〜４の配線装置において、本実施形態と同様にコンセント本体と枠部材とを一体化した形状にコンセントの器体を形成しても良く、コンセントの器体とは別体に形成された枠部材を使用することなく、埋込ボックスに埋込配設することができるので、部品数を減らすことができる。
【図面の簡単な説明】
【００９０】
【図１】実施形態１の配線装置を示し、（ａ）は正面図、（ｂ）は化粧プレートを外した状態の正面図、（ｃ）は化粧プレートを外した状態の側断面図である。
【図２】同上を構成するコンセントの分解斜視図である。
【図３】同上を構成するコンセントを示し、（ａ）は正面図、（ｂ）は上面図、（ｃ）は右側面図、（ｄ）は下面図である。
【図４】同上を構成するコンセントに設けられた嵌合溝の位置を示し、（ａ）は直流電源の場合の説明図、（ｂ）は交流電源の場合の説明図である。
【図５】同上に接続されるプラグを示し、（ａ）は外観斜視図、（ｂ）は正面図である。
【図６】同上に接続されるプラグに設けられた識別リブの位置を示し、（ａ）は直流電源の場合の説明図、（ｂ）は交流電源の場合の説明図である。
【図７】同上を構成するプレートを表側から見た分解斜視図である。
【図８】同上を構成するプレートを裏側から見た分解斜視図である。
【図９】同上を構成するプレートに用いられるプレート枠を示し、（ａ）は正面図、（ｂ）は左側から見た縦断面図、（ｃ）は右側から見た縦断面図、（ｄ）は背面図、（ｅ）は横断面図、（ｆ）は横断面図である。
【図１０】（ａ）〜（ｃ）は同上を構成するプレートにコンセントを取り付ける手順を説明する説明図である。
【図１１】（ａ）（ｂ）は同上の施工例を示す平面図である。
【図１２】（ａ）（ｂ）は、同上を構成するコンセントの他例を示す平面図である。である。
【図１３】（ａ）〜（ｃ）は、同上を構成するコンセントのまた別の例を示す平面図である。
【図１４】（ａ）（ｂ）は同上を構成するコンセントの内部ブロック図である。
【図１５】実施形態２の配線装置を示し、（ａ）は正面図、（ｂ）は化粧プレートを外した状態の正面図、（ｃ）は化粧プレートを外した状態の側断面図である。
【図１６】同上を構成するコンセントの要部拡大斜視図である。
【図１７】（ａ）（ｂ）は同上に接続されるプラグの外観斜視図である。
【図１８】（ａ）（ｂ）は同上を構成するコンセントの他例を示す平面図である。
【図１９】（ａ）〜（ｃ）は、同上を構成するコンセントのまた別の例を示す平面図である。
【図２０】実施形態３の配線装置を示し、（ａ）はコンセント部の要部拡大図、（ｂ）はプラグの正面図である。
【図２１】同上の他の配線装置を示し、（ａ）はコンセント部の要部拡大図、（ｂ）はプラグの正面図である。
【図２２】実施形態４の配線装置を示し、（ａ）はコンセントを取付枠に取り付けた状態の正面図、（ｂ）は側面図、（ｃ）は化粧プレートを取り付けた状態の正面図である。
【図２３】同上の配線装置の他例を示し、（ａ）はコンセントを取付枠に取り付けた状態の正面図、（ｂ）は側面図、（ｃ）は化粧プレートを取り付けた状態の正面図である。
【図２４】同上の配線装置のまた別の例を示し、（ａ）はコンセントを取付枠に取り付けた状態の正面図、（ｂ）は側面図、（ｃ）は化粧プレートを取り付けた状態の正面図である。
【図２５】同上の配線装置の更に別の例を示し、（ａ）はコンセントを取付枠に取り付けた状態の正面図、（ｂ）は側面図、（ｃ）は化粧プレートを取り付けた状態の正面図である。
【図２６】実施形態５の配線装置を示し、（ａ）〜（ｄ）はコンセントの正面図、（ｅ）〜（ｇ）は取付枠の正面図、（ｈ）〜（ｋ）は埋込ボックスの正面図である。
【図２７】同上を構成するコンセントを示し、（ａ）は正面図、（ｂ）は側面図である。
【図２８】同上を構成する取付枠を示し、（ａ）は正面図、（ｂ）は側断面図である。
【図２９】同上を構成するコンセントを取付枠に取り付けた状態の側断面図である。
【図３０】（ａ）〜（ｃ）は同上を構成するコンセントの他例を示す正面図である。
【図３１】（ａ）は取付枠一体形のコンセント及び化粧プレートの正面図、（ｂ）はプレート一体形のコンセントの正面図、（ｃ）は埋込ボックスの正面図である。
【図３２】（ａ）は取付枠一体形のコンセント及び化粧プレートの正面図、（ｂ）はプレート一体形のコンセントの正面図、（ｃ）は埋込ボックスの正面図である。
【図３３】（ａ）は取付枠一体形のコンセント及び化粧プレートの正面図、（ｂ）はプレート一体形のコンセントの正面図、（ｃ）は埋込ボックスの正面図である。
【図３４】（ａ）は取付枠一体形のコンセント及び化粧プレートの正面図、（ｂ）はプレート一体形のコンセントの正面図、（ｃ）は埋込ボックスの正面図である。
【符号の説明】
【００９１】
Ａ  コンセント
１  器体（コンセント本体）
９  刃受部材
２０  コンセント部
２１  プラグ挿入用穴
２２  突出部
２３ａ，２３ｂ  端子挿入用孔
１１０  プレート枠（枠部材）
２００  プラグ
２０４ａ，２０４ｂ  ピン端子
【図１】
2010073351.tif 000003
【図２】
2010073351.tif 000004
【図３】
2010073351.tif 000005
【図４】
2010073351.tif 000006
【図５】
2010073351.tif 000007
【図６】
2010073351.tif 000008
【図７】
2010073351.tif 000009
【図８】
2010073351.tif 000010
【図９】
2010073351.tif 000011
【図１０】
2010073351.tif 000012
【図１１】
2010073351.tif 000013
【図１２】
2010073351.tif 000014
【図１３】
2010073351.tif 000015
【図１４】
2010073351.tif 000016
【図１５】
2010073351.tif 000017
【図１６】
2010073351.tif 000018
【図１７】
2010073351.tif 000019
【図１８】
2010073351.tif 000020
【図１９】
2010073351.tif 000021
【図２０】
2010073351.tif 000022
【図２１】
2010073351.tif 000023
【図２２】
2010073351.tif 000024
【図２３】
2010073351.tif 000025
【図２４】
2010073351.tif 000026
【図２５】
2010073351.tif 000027
【図２６】
2010073351.tif 000028
【図２７】
2010073351.tif 000029
【図２８】
2010073351.tif 000030
【図２９】
2010073351.tif 000031
【図３０】
2010073351.tif 000032
【図３１】
2010073351.tif 000033
【図３２】
2010073351.tif 000034
【図３３】
2010073351.tif 000035
【図３４】
2010073351.tif 000036